【事件の表示】
　特願２００２−１０５８４７「版保持装置」拒絶査定不服審判事件〔平成１５年１０月２１日出願公開、特開２００３−３００３０５〕について、次のとおり審決する。
【結　論】
　本件審判の請求は、成り立たない。
【理　由】
第１　手続の経緯
　本願は、平成１４年４月８日の出願であって、平成２０年３月１３日付け拒絶理由通知に対して、同年５月１９日付けで手続補正がなされたが、平成２１年３月２７日付けで拒絶査定がなされ、これに対し、同年７月１日に拒絶査定不服審判が請求されたものである。
      　　
第２　本願発明
　本願の請求項１ないし２に係る発明は、平成２０年５月１９日付け手続補正書にて補正された請求項１ないし２に記載されたとおりのものであるところ、その請求項１に係る発明（以下、「本願発明」という。）は、次のとおりのものである。
　
「【請求項１】　複数の印刷ユニットの版胴のそれぞれに対応するように設けられ、吸引エアーにより版を保持する版保持器と、
　前記複数の版保持器に前記吸引エアーを供給する吸引エアー源とを備えた版保持装置において、
　
一つの前記吸引エアー源によって複数の前記印刷ユニットの各版保持器に吸引エアーを供給し、
 　 
第３　刊行物の記載事項 
１　原査定の拒絶理由で引用された本願出願前に頒布された刊行物である特開２００１−８００４４号公報（以下「引用文献」という。）には、図とともに以下の事項が記載されている。 
 　　　　 
　ア　「【特許請求の範囲】
【請求項１】  版胴の版固定装置に設けた基準ピンに刷版を位置決めしながら挿入する
輪転印刷機における版挿入装置において、刷版を保持する版保持器
　
　イ　「【０００７】図１において、全体を符号１で示すものは、
両面刷用の枚葉輪転印刷機であって、給紙装置２と、表面印刷用の上側の４つの印刷ユニット３Ａ〜３Ｄと、裏面印刷用の下側の４つの印刷ユニット４Ａ〜４Ｄと、排紙装置５とから概略構成されている
【０００８】
裏面印刷用の４つの印刷ユニット４Ａ〜４Ｄには、刷版が巻き付けられた版胴２０と、この版胴２０に対接するゴム胴２１と、このゴム胴２１に対接する倍径の圧胴２２が設けられ、版胴２０の下方には、図示を省略した多数のローラ群等からなるインキ装置を収容するインキ部２３が設けられている
　　
　ウ　「【００１０】以下、図２ないし図２１を用いて、裏面印刷用の印刷ユニット４Ａないし４Ｄに採用された本発明の特徴である枚葉輪転印刷機における版挿入装置について説明する。なお、
それぞれの印刷ユニット４Ａないし４Ｄに採用された版挿入装置は、いずれも全く同じ構造をもつものであるから、以下、印刷ユニット４Ａに採用された版挿入装置のみについて説明する
  　
　エ　「【００１２】次に、図２ないし図５に基づいて、新版挿入装置４０について説明する。図５において、
新版挿入装置４０は、新版Ｐ２のくわえ側を吸着して保持する版保持器４１と、この版保持器４１をガイドする左右一対のガイドレール４２，４２と、版保持器４１を移動させるアクチュエータ４３とによって概略構成されている
【００１３】
版保持器４１は細長い直方体に形成され、前面に多数の吸着パッド４５が二列に設けられており、この吸着パッド４５には吸引ポンプ８６（図９参照）からの吸引エアが負圧として供給される
　　　
　オ　図１から、複数の印刷ユニットを備えた枚葉輪転印刷機が看取され、上記（ウ）及び（エ）より、図１に示された印刷ユニットの版胴のそれぞれに対応するように全く同じ構造の版挿入装置が設けられていることになる。
　　　　
　上記のことから、引用文献には次の発明が記載されている（以下「引用発明」という。）と認められる。 
 　　　　             
「複数の印刷ユニットの版胴のそれぞれに対応するように設けられた版挿入装置であって、
　版挿入装置は、版保持器と、この版保持器をガイドする左右一対のガイドレールと、版保持器を移動させるアクチュエータとによって構成され、
　版保持器は、多数の吸着パッドが設けられており、この吸着パッドには吸引ポンプからの吸引エアが負圧として供給される、版挿入装置。」　
 　　　　　　　 
第４　対比・判断　　 
１　対比　
（１）本願発明と引用発明との対比 　
　ア　引用発明の「印刷ユニット」は、本願発明の「印刷ユニット」に相当し、同様に、
「版胴」は「版胴」に、
「吸引ポンプ」は「吸引エアー源」に、
「吸引エアが負圧として供給される」は「吸引エアーを供給する」に、相当する。
        　
　イ　本願明細書には「版保持器」について明確な定義がなされていないが、以下のような事項が記載されている。
（ア）「【００１２】１０は後述する給版ユニット用シリンダ制御部であって、吸気ポンプ１１と各エアーチューブ１２（１２Ａないし１２Ｄ）との間に設けられている。この給版ユニット用シリンダ制御部１０は、吸気ポンプ１１からの吸気エアーを、エアーチューブ１２（１２Ａないし１２Ｄ）、後述する断接手段１４５（１４５Ａないし１４５Ｄ）およびエアーチューブ１３（１３Ａないし１３Ｄ）を介して、
各印刷ユニット３Ａないし３Ｄの後述する給版ユニット１００の吸着パッド１０２へ選択的に供給する
　　
（イ）「【００１３】１５は後述する版保持装置用シリンダ制御部であって、吐出ポンプ１６と各エアーチューブ１７（１７Ａないし１７Ｄ）との間に設けられている。この版保持装置用シリンダ制御部１５は、吐出ポンプ１６からの吐出エアーを、エアーチューブ１７（１７Ａないし１７Ｄ）、後述する断接手段１４５およびエアーチューブ１８（１８Ａないし１８Ｄ）を介して、
各印刷ユニット３Ａないし３Ｄの後述する版保持装置４０Ａ，４０Ｂのエアーシリンダ４１および後述する吸着パッド１０２を版胴５に対して接離させるエアーシリンダ１１３へ選択的に供給する
    　
（ウ）「【００４３】図１１において、全体を符号１００で示すものは揺動部材としての給版ユニットであって、前記窓９５を選択的に覆う揺動板１０１と、版取扱装置の作動部材として
新版２５Ｂを吸着する吸着パッド１０２
　　
（エ）「【００７７】上述したように、各断接手段１４５（１４５Ａないし１４５Ｄ）は、エアーチューブ１３（１３Ａないし１３Ｄ）を介して、各安全カバー６（６Ａないし６Ｄ）に設けられた
給版ユニット１００の吸着パッド１０２にそれぞれ接続されている
  　
（オ）「【００７９】に「逆止弁１７１は、常時は、閉じた状態が保持されており、前記エアー流路切替用電磁弁１７３が作動し、
吸気ポンプ１１から吸着パッド１０２に吸引エアーが供給される
　　
（カ）「【００８３】この状態で、新版２５Ｂのくわえ側端部（図中下端部）に設けられた位置決め用切欠部２６ａ，２６ｂを位置決めピン９６，９６に係入して、新版２５Ｂの下端を位置決めピン９６，９６に支承させる。次いで、新版２５Ｂの上部をガイドバー９２に添接させた後、
新版２５Ｂの下端部を給版ユニット１００の吸着パッド１０２に吸着させる。すなわち、図１に示すように、４個の印刷ユニット３Ａないし３Ｄのうち、１色目の印刷ユニット３Ａから順次新版２５Ｂを給版ユニット１００の吸着パッド１０２に吸着させる
  　
　上記（ア）ないし（カ）の記載からして、本願発明の「版保持器」とは、「吸着パッドを備え、版を吸着することのできる装置」を包含する概念のものである。
　
　そして、引用発明の「版保持器」も、多数の吸着パッドを備え、この吸着パッドにより版を吸着することができることから、上記「吸着パッドを備え、版を吸着することのできる装置」といえるものである。
　してみると、引用発明の「版保持器」は本願発明の「版保持器」に相当し、引用発明の「版挿入装置」は本願発明の「版保持装置」に相当する。
　    　　   　
　ウ　上記ア及びイより、
　引用発明の「複数の印刷ユニットの版胴のそれぞれに対応するように設けられた版挿入装置であって、
　版挿入装置は、版保持器と、この版保持器をガイドする左右一対のガイドレールと、版保持器を移動させるアクチュエータとによって構成され、
　版保持器は、多数の吸着パッドが設けられており、この吸着パッドには吸引ポンプからの吸引エアが負圧として供給される」と、  　
　　　　
　本願発明の「複数の印刷ユニットの版胴のそれぞれに対応するように設けられ、吸引エアーにより版を保持する版保持器と、
　前記複数の版保持器に前記吸引エアーを供給する吸引エアー源とを備えた版保持装置において、
　
一つの前記吸引エアー源によって
逆止弁を備えた
   　　         　
「複数の印刷ユニットの版胴のそれぞれに対応するように設けられ、吸引エアーにより版を保持する版保持器と、
　前記複数の版保持器に前記吸引エアーを供給する吸引エアー源とを備えた版保持装置において、
　
吸引エアー源によって複数の前記印刷ユニットの各版保持器に吸引エアーを供給する
    　                　
（２）してみると、本願発明と引用発明とは以下の点で一致する。 
　＜一致点＞ 
「複数の印刷ユニットの版胴のそれぞれに対応するように設けられ、吸引エアーにより版を保持する版保持器と、
　前記複数の版保持器に前記吸引エアーを供給する吸引エアー源とを備えた版保持装置において、
　
吸引エアー源によって複数の前記印刷ユニットの各版保持器に吸引エアーを供給する
　　　　　　
（３）一方で、本願発明と引用発明は、以下の点で相違する。 
　＜相違点１＞ 
　吸引エアー源の数に関し
　本願発明が「一つ」と特定されるものであるのに対して、引用発明は吸引エアー源の数が不明である点。
  　
　＜相違点２＞ 
　版保持器と吸引エアー源との関係に関し
　本願発明が「各版保持器と前記吸引エアー源との間にそれぞれ逆止弁を備えた」と特定されるものであるのに対して、引用発明は上記特定を有していない点。
　　    　　
２　判断
　上記＜相違点１＞及び＜相違点２＞について検討する。 
　ア　一つの吸引エアー源から複数箇所に吸引エアーを供給するとともに、逆止弁を設けることは、本願出願前に周知である（例えば、特開２００１−９５８２４号公報の【００２０】及び図１、特開平１１−２４０６４５号公報の第６欄第３ないし７行及び図１ないし７、特開平６−２９２６４４号公報の図１ないし３、実願平３−７６２６１号（実開平５−１９２９６号）のＣＤ−ＲＯＭの【要約】及び図２、実願昭５８−６２７５１号（実開昭５９−１７３５３０号）のマイクロフィルムの第５頁第４行ないし第６頁第９行及び第３図を参照。以下「周知技術」という。）。
　　　　
　イ　してみれば、引用発明において、吸引エアー源を「一つ」とし、一つの吸引エアー源によって複数の印刷ユニットの各版保持器に吸引エアーを供給するとともに、逆止弁を設けることは、当業者が適宜なし得たことである。
　  　
　ウ　以上のことから、引用発明において、上記＜相違点１＞及び＜相違点２＞に係る本願発明の構成を採用することは、当業者が周知技術に基づいて適宜なし得たことである。　　　
　　　　　
　エ　また、本願発明の効果も、引用発明及び周知技術から当業者が予測し得る範囲内のものである。
            　                      　　
　＜相違点についてのまとめ＞  
　以上のことから、引用発明において、上記＜相違点１＞及び＜相違点２＞に係る本願発明の構成を採用することは、当業者が周知技術に基づいて、適宜なし得たことである。  
　また、本願発明の奏する効果も、引用発明及び周知技術から当業者が予測し得る範囲内のものである。  
　 　　　 
第５　むすび  
　以上のとおり、本願発明は、引用刊行物に記載された発明及び周知技術に基づいて、当業者が容易に発明をすることができたものであるから、特許法第２９条第２項の規定により特許を受けることができない。  
　よって、結論のとおり審決する。